【手続補正書】
【提出日】平成15年10月6日(2003.10.6)
【手続補正１】
【補正対象書類名】明細書
【補正対象項目名】特許請求の範囲
【補正方法】変更
【補正の内容】
【特許請求の範囲】
【請求項１】
内蔵タイマーカウント用クロックを計数し、装置全体の基準時間を計数値で示すメインタイマーと、少なくとも前記メインタイマーの前記基準時間と、記録媒体から読さ出されたデータパックのパックヘッダに含まれているシステムクロックリファレンス（ＳＣＲ）とを比較することにより、所定の関係にあるパケットを判定して取り込み、データユニットを生成するデータユニット生成手段と、前記データユニットに含まれるプレゼンテーションタイムスタンプ（ＰＴＳ）と前記メインタイマーの計数値とを比較し、前記メインタイマーの計数値が前記プレゼンテーションスタンプ（ＰＴＳ）以上の場合には、当該データユニットをデコードするデコード手段と、前記デコード手段よりデコードされたデータを表示するための表示制御手段と、スチール又は間欠表示等の特殊再生動作モードによる画像表示が行われるときは、少なくとも前記メインタイマーへ入力する前記タイマーカウント用クロックをオフ制御する期間を有し、通常再生動作モードに移行した場合は、前記メインタイマーを、最新に取り込んだパックの前記システムクロックリファレンス（ＳＣＲ）により再設定するタイマー制御手段と、を具備したことを特徴とする、サブピクチャー再生制御装置。
【請求項２】
内蔵タイマーカウント用クロックを計数し、装置全体の基準時間を計数値で示すメインタイマーと、少なくとも前記メインタイマーの前記基準時間と、記録媒体から読さ出されたデータパックのパックヘッダに含まれているシステムクロックリファレンス（ＳＣＲ）とを比較することにより、所定の関係にあるパケットを判定して取り込み、データユニットを生成するデータユニット生成手段と、前記データユニットに含まれるプレゼンテーションタイムスタンプ（ＰＴＳ）と前記メインタイマーの計数値とを比較し、前記メインタイマーの計数値が前記プレゼンテーションスタンプ（ＰＴＳ）以上の場合には、当該データユニットをデコードするデコード手段と、前記デコード手段よりデコードされたデータを表示するための表示制御手段と、を具備し、スチール又は間欠表示等の特殊再生動作モードによる画像表示が行われるときは、少なくとも前記メインタイマーへ入力する前記タイマーカウント用クロックをオフする期間を有し、通常再生動作モードに移行した場合は、前記メインタイマーを、最新に取り込んだパックの前記システムクロックリファレンス（ＳＣＲ）により再設定するようにしたことを特徴とするサブピクチャー再生制御装置。
【請求項３】
内蔵システムクロックを計数し、装置全体の基準時間を計数値で示すメインタイマーと、少なくとも前記メインタイマーの前記基準時間と、記録媒体から読さ出されたデータパックのパックヘッダに含まれているシステムクロックリファレンス（ＳＣＲ）とを比較することにより、所定の関係にあるパケットを判定して取り込み、データユニットを生成するデータユニット生成手段と、前記データユニットに含まれるプレゼンテーションタイムスタンプ（ＰＴＳ）と前記メインタイマーの計数値とを比較し、前記メインタイマーの計数値が前記プレゼンテーションタイムスタンプ（ＰＴＳ）以上の場合には、当該データユニットをデコードし、前記メインタイマーの計数値が前記プレゼンテーションタイムスタンプ（ＰＴＳ）未満の場合には、当該データユニットのデコードを停止するデコード処理手段と、前記デコード処理手段よりデコードされたデータを表示するための表示制御手段と、前記プレゼンテーションタイムスタンプ（ＰＴＳ）を強制的に所定の最小値または最大値にして、前記デコード処理手段のデコードを強制的に制御する強制デコード制御手段と、を具備したことを特徴とするサブピクチャー再生制御装置。
【請求項４】
内蔵タイマーカウント用クロックを計数した計数値により、装置全体の基準時間（ＳＴＣ）で示すメインタイマーと、少なくとも前記メインタイマーの前記基準時間（ＳＴＣ）と、記録媒体から読さ出されたデータパケットの先頭に付加されたパックヘッダに含まれているシステムクロックリファレンス（ＳＣＲ）とを比較することにより、所定の関係にあるパケットを判定して複数取り込み、データユニットを生成するデータユニット生成手段と、前記データユニットに含まれるプレゼンテーションタイムスタンプ（ＰＴＳ）と前記基準時間（ＳＴＣ）とを比較し、前記基準時間（ＳＴＣ）が前記プレゼンテーションタイムスタンプ（ＰＴＳ）以上の場合には、当該データユニットをデコードする行うデコード手段と、前記データユニットが切り替わる毎にリセットされて前記タイマーカウント用クロックを計数し、単一の前記データユニットの処理経過時間を計数値で示すサブタイマーと、前記デコード手段よりデコードされたデータを表示するとともに、その表示状態を、前記サブタイマーの時間情報と前記データユニットに含まれる表示制御シーケンスデータに基づいて表示制御タイミング及び表示内容を制御するための表示制御手段と、前記装置が高速再生等の特殊再生状態に切換えられたときは、前記ＳＴＣとＰＴＳとの比較結果にかかわらず、前記デコード処理手段における転送されて来た新データユニットが所定の構成に完結しているかどうかを判定し、完結しているときは当該転送されて来た新データユニットを前記デコード処理手段に供給し、完結していないときは、以前にこれまでデコードしていたデータユニットの表示を維持させる手段と、を具備したことを特徴とするサブピクチャー再生制御装置。
【請求項５】
内蔵タイマーカウント用クロックを計数した計数値により、装置全体の基準時間（ＳＴＣ）で示すメインタイマーと、少なくとも前記メインタイマーの前記基準時間（ＳＴＣ）と、記録媒体から読さ出されたデータパケットの先頭に付加されたパックヘッダに含まれているシステムクロックリファレンス（ＳＣＲ）とを比較することにより、所定の関係にあるパケットを判定して複数取り込み、データユニットを生成するデータユニット生成手段と、前記データユニットに含まれるプレゼンテーションタイムスタンプ（ＰＴＳ）と前記基準時間（ＳＴＣ）とを比較し、前記基準時間（ＳＴＣ）が前記プレゼンテーションタイムスタンプ（ＰＴＳ）以上の場合には、当該データユニットをデコードするデコード手段と、前記データユニットが切り替わる毎にリセットされて前記タイマーカウント用クロックを計数し、単一の前記データユニットの処理経過時間を計数値で示すサブタイマーと、前記デコード手段よりデコードされたデータを表示するとともに、その表示状態を前記サブタイマーの時間情報と前記データユニットに含まれる表示制御シーケンスデータに基づいて表示制御タイミング及び表示内容を制御するための表示制御手段と、前記装置が高速再生等の特殊再生状態に切換えられたときは、前記ＳＴＣとＰＴＳとの比較結果にかかわらず、前記デコード処理手段における転送されて来た複数の新データユニットのうち完結している最初のデータユニットを判定し、この最初のデータユニットを前記デコード処理手段に供給し、次の複数の新データユニットが転送されるまで前記最初のデータユニットのデコードを維持させる手段と、を具備したことを特徴とするサブピクチャー再生制御装置。
【請求項６】
内蔵タイマーカウント用クロックを計数した計数値により、装置全体の基準時間（ＳＴＣ）で示すメインタイマーと、少なくとも前記メインタイマーの前記基準時間（ＳＴＣ）と、記録媒体から読さ出されたデータパケットの先頭に付加されたパックヘッダに含まれているシステムクロックリファレンス（ＳＣＲ）とを比較することにより、所定の関係にあるパケットを判定して複数取り込み、データユニットを生成するデータユニット生成手段と、前記データユニットに含まれるプレゼンテーションタイムスタンプ（ＰＴＳ）と前記基準時間（ＳＴＣ）とを比較し、前記基準時間（ＳＴＣ）が前記プレゼンテーションタイムスタンプ（ＰＴＳ）以上の場合には、当該データユニットをのデコードするデコード手段と、前記データユニットが切り替わる毎にリセットされて前記タイマーカウント用クロックを計数し、単一の前記データユニットの処理経過時間を計数値で示すサブタイマーと、前記デコード手段よりデコードされたデータを表示するとともに、その表示状態を、前記サブタイマーの時間情報と前記データユニットに含まれる表示制御シーケンスデータに基づいて表示制御タイミング及び表示内容を制御するための表示制御手段と、前記装置が特殊再生状態に切換えられたときは、転送されて来た新データユニットのＰＴＳが現在デコード中のデータユニットのＰＴＳ未満であれば、前記ＳＴＣとＰＴＳとの比較結果にかかわらず、現在デコード中のデータユニットのデコードを維持させる手段と、を具備したことを特徴とするサブピクチャー再生制御装置。
【請求項７】
記録媒体に記録されている複数のパケットを収集して所定フォーマットのデータユニットを次々と構成し、これらのデータユニットを順次とデコードすることにより映像情報を得るデコーダにおいて、連続する前記データユニットのうち、次にデコードするデータユニットが所定の構成に完結しているかどうかを判定し、完結していない場合には現在デコード中のデータユニットをデコードし、完結している場合には前記次にデコードするデータユニットのデコードを実行するようにしたことを特徴とするサブピクチャー再生制御方法。
【請求項８】
特殊再生モート時に、サブピクチャーを表示させるか否かを判定する判定手段と、前記判定手段がサブピクチャーを表示させると判定したとき、装置の内蔵クロックが発生するシステムクロックリファレンスに基づいて得られた基準時間（ＳＴＣ）の値とディスクに収録されたプレゼンテーションタイムスタンプ（ＰＴＳ）とを比較し、前記基準時間（ＳＴＣ）の値を強制的に前記ＰＴＳ以上の値に設定する第１の基準時間値更新手段と、前記判定手段がサブピクチャーを表示させないと判定したとき、装置の内部時計が発生するシステムクロックリファレンスに基づいて得られた基準時間（ＳＴＣ）の値とディスクに収録されたプレゼンテーションタイムスタンプ（ＰＴＳ）とを比較し、前記基準時間の値を強制的に前記ＰＴＳ未満の値に設定する第２の基準時間値更新手段と、第１の基準時間値更新手段により更新された基準時間の値に基づき、サブピクチャーデータをデコードして表示せしめるサブピクチャー表示手段と、第２の基準時間値更新手段により更新された基準時間の値に基づき、サブピクチャーデータの表示を禁止するサブピクチャー表示禁止手段と、を具備することを特徴とするサブピクチャー再生制御方法。
【請求項９】
基準時間を発生するタイマーと、記録媒体に所定のフォーマットに従いパケット化されて記録されたサブピクチャーデータをデコードする手段と、前記サブピクチャーデータとともにその時間的属性を示す目的で当該サブピクチャーパケットに挿入されたタイムスタンプを抽出する手段と、前記抽出手段で抽出された前記タイムスタンプと前記タイマーから発生された前記基準時間とを参照して前記サブピクチャーデコード手段による前記サブピクチャーデータのデコード及び表示を制御する手段と、を具備したことを特徴とする、記録媒体のサブピクチャー再生制御装置。
【請求項１０】
基準時間を発生するステップと、記録媒体に所定のフォーマットに従いパケット化されて記録されたサブピクチャーデータをデコードし表示するステップと、前記サブピクチャーデータとともにその時間的属性を示す目的で当該サブピクチャーパケットに挿入されたタイムスタンプを抽出するステップと、前記抽出手段で抽出された前記タイムスタンプと前記タイマーから発生された前記基準時間とを参照して前記デコード手段による前記サブピクチャーデータのデコードを制御するステップと、を具備したことを特徴とする、記録媒体のサブピクチャー再生制御方法。